(57)【要約】【課題】従来のヘッドライトの外周にランプを装飾的に付加する方法ではポジションランプの光を利用するものであったので、光量が少なくヘッドライトを点灯すると見えなくなり装飾性に乏しいものとなっていた。【解決手段】本発明により、ヘッドライト１に組込まれたリフレクター２の発光部以外の場所をカバーするエクステンション５の一部として、リフレクターの発光部の外周近傍に、リング状などとした装飾レンズを嵌め込み、その装飾レンズを光らせるための専用反射面が、ヘッドライトの光源付近を焦点とする回転放物面などとして形成されているヘッドライトとすることで、ヘッドライト点灯中にも充分観視可能な明るさのものとして課題を解決する。【選択図】図１
2008084595.tif 000002
【特許請求の範囲】
【請求項１】
ヘッドライトに組み込まれたリフレクターの発光部以外の場所をカバーする意匠部品であるエクステンションの一部として、リフレクターの発光部の外周近傍位置に、リング状、ブロック状とした光を透過する装飾レンズを嵌め込み、その装飾レンズを光らせるための専用反射面が、ヘッドライトの光源付近を焦点とする回転放物面、或いは、光源付近を第一焦点、装飾レンズ発光部付近を第二焦点とする回転楕円面、若しくは、前記回転放物面と前記回転楕円面の組合わせで形成された複数の反射面からなり、前記リフレクターの発光面の最外端の一部に設置されていることを特徴とするヘッドライト。
【請求項２】
前記装飾レンズに光を供給する専用反射面が、リフレクターの外周から２０mm以下の幅として設置されていることを特徴とする請求項１記載のヘッドライト。
【請求項３】
前記装飾レンズが無色透明部材、または、発光色が白色と認められる着色度合いの有色透明部材の何れか、或は、前記両透明部材の組合せにより形成され、デザイン上の必要に応じてはレンズカットが設けられていることを特徴とする請求項１、又は、請求項２記載のヘッドライト。
【請求項４】
前記リフレクターの一部にはポジションランプ用電球が取付けられていることを特徴とする特許請求の範囲１〜３の何れかに記載のヘッドライト。
【発明の詳細な説明】
【技術分野】
【０００１】
本発明はヘッドライトに関するものであり、詳細には、点灯中にはヘッドライトの外周に略リング状の光を生じるようにし、点灯時の美観の一層の向上を図ると共に、ヘッドライトの先端部分を、照射方向以外の方向にも発光させることで、視認性の向上を一層に図れるものとしたヘッドライトの構成に係るものである。
【背景技術】
【０００２】
従来の、夜間にヘッドライト９０の周縁にリング状に光る装飾用ランプを設けるときの構成の例を示すものが図４であり、例えば回転放物面など放物面系の反射面を用いて構成された第一のライト９１の反射面９２内にはポジションランプ用のソケット９３が設けられている。
【０００３】
同時に、前記反射面９２の外縁には、前記ソケット９３に挿着された前記ポジションランプからの光を車両の前方に向けて反射するポジション用リフレクタ９４が、一体、若しくは、分割した状態で設けられている。よって、薄暮時などとなり、前記ポジションランプを点灯させれば、前記ポジション用リフレクタ９４により前記反射面９２の外縁が光輝するものとなる。尚、図中に符号８０で示すものはプロジェクタ型などとした、第二のライトである。
【特許文献１】特開２００５−１９０８９０号公報
【発明の開示】
【発明が解決しようとする課題】
【０００４】
しかしながら、上記した従来の装飾用ランプにおいては、確かに薄暮時に点灯を行ったときには、第一のライト９１の周縁がリング状に光るものとなり、歩行者、対向車に対して大きな装飾的効果が得られるものとなるが、薄暮時を過ぎ第一のライト９１を点灯した場合には、第一のライト９１用の桁違いに明るい電球からの光により、実質的には点灯していることが判然としなくなり、期待する効果が得られないものとなるという問題点を生じている。
【０００５】
但し、本来の装飾性の向上という観点からすれば、ヘッドライト９０を点灯した際にも、ヘッドライト９０の外周に明確に前記装飾用ランプが点灯していることが見えていることが、より好ましいものであることは、言うまでもなく、よって、本発明は、ヘッドライト９０の点灯時にも、存在が明確な装飾用ランプの構成を提供するものである。
【課題を解決するための手段】
【０００６】
本発明は、上記した従来の課題を解決するための具体的手段として、ヘッドライトに組み込まれたリフレクターの発光部以外の場所をカバーする意匠部品であるエクステンションの一部として、リフレクターの発光部の外周近傍位置に、リング状、ブロック状とした光を透過する装飾レンズを嵌め込み、その装飾レンズを光らせるための専用反射面が、ヘッドライトの光源付近を焦点とする回転放物面、或いは、光源付近を第一焦点、装飾レンズ発光部付近を第二焦点とする回転楕円面、若しくは、前記回転放物面と前記回転楕円面の組合わせで形成された複数の反射面からなり、前記リフレクターの発光面の最外端の一部に設置されていることを特徴とするヘッドライトを提供することで課題を解決するものである。
【発明の効果】
【０００７】
本発明により、装飾レンズを光輝させるための光源をヘッドライトと共用させたことで光量的にも充分な光量が得られるものとなり、また、ヘッドライト用のリフレクタの最外周部に装飾レンズに光を供給する専用反射面を形成したことで、前記装飾レンズに対して充分な光を供給できるものとして、ヘッドライトの点灯時にも、前記装飾レンズからの光が見え難くなることをなくして、ヘッドライトの点灯時、不点灯に関わらず充分な装飾効果を発揮できるものとする。
【０００８】
また、専用反射面をヘッドライト用のリフレクタの最外周部に設けたことで、前記専用反射鏡は、例えば、光源を焦点とする放物系反射面、或いは、光源を第一焦点とし装飾レンズの近傍を第二焦点とする楕円系反射面など、設計に自由度を与え、これにより、前記装飾レンズから放射される光の見え方にも様々なバリエーションが与えられるものとして、装飾効果を一層にバリエーションを与えられるものとする。
【発明を実施するための最良の形態】
【０００９】
つぎに、本発明を図に示す実施形態に基づいて詳細に説明する。図１に示しものは、本発明に係るヘッドライト１の第１実施形態を示す断面図である。
【実施例１】
【００１０】
この第１実施形態では、ヘッドライト１のリフレクター１ａの主反射面２には回転放物面など放物面系反射面を採用し、走行ビーム配光を得るときの例であり、よって、例えば、ハロゲン電球のフィラメントなど光源３は、前記主反射面２の焦点の位置に配置され、前記光源３から主反射面２に当接する光は、光軸Ｘと平行光として反射されるものとなり、車両の正面遠方を照射するものとなる。
【００１１】
そして、前記主反射面２の最外端には前記光源３からの光を反射する専用反射面４が設けられており、この第一実施形態では、前記専用反射面４にも、前記光源３を焦点とする放物面系反射面が採用されている。（以下、放物面系反射面で形成した専用反射面を放物系専用反射面４ｐと称する）
【００１２】
また、前記放物系専用反射面４ｐも光軸を主反射面２の光軸Ｘと同一として形成されているので、反射光も主反射面２と平行方向として反射が行われる。即ち、前記放物系専用反射面４ｐが反射する光は、主反射面２が反射する光の外側に平行な略リング状の光として存在するものとなる。
【００１３】
ここで、前記主反射面２には、光軸Ｘを調整可能とするエーミング装置（図示せず）が設けられ、ヘッドライト１を車両（図示せず）に取付けたときに、前記光軸Ｘが車両の軸と一致していないときには、主反射面２の光軸Ｘを調整し、即ち、主反射面２の向かう方向を車両に一致させるものとされている。
【００１４】
よって、前記主反射面２の光軸Ｘの調整を行うときには、主反射面の全体が向きが移動するものとなるので、例えば、前記主反射面２の先端の端面、或いは、裏面などが外部から見えることのないように、主反射面２の外径には先端を覆うようにエクステンション５が設けられている。
【００１５】
本発明では、前記エクステンション５を、不透明部材５ａと光透過性部材５ｂとの複合構造、或いは、光透過性部材５ｂのみで形成するなどして、前記放物系専用反射面４ｐから反射ししてくる光を前記エクステンション５に達するものとさせ、前記光透過性部材５ｂの部分を透過させて前記エクステンション５も光輝しているように観視させるものとしている。よって、前記光透過性部材５ｂの部分は装飾レンズの作用を奏するものとなる。
【００１６】
尚、上記したエーミング装置などによる前記主反射面２の調整量を考慮すれば、前記放物系専用反射面４ｐの幅は２０mm以下で充分にエクステンション５を照明することが可能であり、また、前記放物系専用反射面４ｐがこの程度の幅であれば、主反射面２に与える光量減少などの影響も無視できる範囲であることが確認されている。
【００１７】
ここで、上記にも説明したように、前記エクステンション５に期待する機能は、前記主反射面２の先端の端面、或いは、裏面などが外部から見えないようにするものであるので、エクステンション５を光透過性部材５ｂのみで形成する場合であっても、例えば、梨地仕上、微細なレンズカットなどにより透明性をなくす光透過拡散処理を行い、上記した主反射面２の先端の端面の存在、形状などがあからさまに観視側から認識されないようにしておく。
【００１８】
尚、上記の説明のように形成した場合、エクステンション５は、従来のポジション用光源６で照明が行われるものではなく、ヘッドライト１の光源３により照明されるものとなるので、必要であれば、主反射面２内にポジション用光源６が突出するように取付けられるようにしておき、ポジションライトが必要なときには、このポジション用光源６を点灯させる。
【００１９】
図２は以上に説明したようにして形成されたはリフレクター１ａを照射方向側から見たときの構成を示す図であり、通常の主反射面２の形状に対して、前記放物系専用反射面４ｐの部分を１段多く形成すればよいものであり、このときには逆テーパーの部分も生じることもなく、金属のプレス成形、樹脂の金型成型の何れの場合も特に生産が複雑化することはない。
【実施例２】
【００２０】
以上の説明は、専用反射面４を放物系、即ち、放物系専用反射面４ｐとして形成したときの例で説明したが、本発明では、前記放物系専用反射面ではなく、回転楕円面など楕円系としても形成することが可能である。
【００２１】
図３は、専用反射面４を楕円系専用反射面４ｏとして形成したときの断面図であり、このときには、前記楕円系専用反射面４ｏを、第一焦点ｆ１を光源３に有し、第二焦点ｆ２を前記エクステンション５の近傍に有する、回転楕円などの楕円系反射面で形成している。
【００２２】
よって、この実施例２では、前記楕円系専用反射面４ｏで反射した後には、再度、集束するものとなり、前記エクステンション５近傍、特に、第二焦点ｆ２近傍における輝度を高くすることが可能となる。よって、エクステンション５の光透過性部材５ｂ（装飾レンズ）に施すレンズカットなどに工夫を凝らすことで、より明るい装飾効果が得られるものとなる。
【００２３】
以上に説明したように、本発明によりヘッドライト１の光源３からの光と専用反射面４とを利用し、エクステンション５の光透過性部材５ｂで形成された部分も光るようにしたことで、ヘッドライトの正面形状に沿う形状とされているエクステンション５も夜間は光源３からの充分な光量で明るく光り、明確に見えるものとなって装飾性が増すものとなり、美感の向上に有効となる。
【００２４】
また、ヘッドライト１のデザインは、車両毎に異なるものとなっているので、本発明により同一構成でエクステンション５を光輝させるときにも、その印象はヘッドライト５のデザインに左右される度合いが強いものとなるので、車両毎に異なる印象のものとすることができ、汎用性も広いものとすることができる。
【図面の簡単な説明】
【００２５】
【図１】本発明に係るヘッドライトの第一実施形態を示す断面図である。
【図２】第一実施形態のリフレクターを前面側から見る状態で示す説明図である。
【図３】本発明に係るヘッドライトの第二実施形態を示す断面図である。
【図４】従来例を示す説明図である。
【符号の説明】
【００２６】
１…ヘッドライト
１ａ…リフレクター
２…主反射面
３…光源
４…専用反射面
４ｐ…放物系専用反射面
４ｏ…楕円系専用反射面
５…エクステンション
５ａ…不透明部材
５ｂ…光透過性部材（装飾レンズ）
６…ポジション用光源
【図１】
2008084595.tif 000003
【図２】
2008084595.tif 000004
【図３】
2008084595.tif 000005
【図４】
2008084595.tif 000006